(57)【要約】【課題】省電力モードを有する印刷装置であって，無駄な補正処理の実行を低減する技術を提供すること。【解決手段】プリンタ１００は，電力供給状態が異なる電力供給モードと省電力モードとを有している。プリンタ１００は，電力供給モードから省電力モードへの移行条件を満たした際，補正処理を行っており，かつ当該補正処理の完了後に実行される印刷ジョブがあるか否かを判断する。そして，肯定判断だった場合，当該補正処理の完了および当該印刷ジョブを印刷した後に，省電力モードに移行する。【選択図】            図５
2014030972.tif 000002
【特許請求の範囲】
【請求項１】
シートに画像を印刷する印刷部と，
自装置の各構成要素に電力を供給する電力供給モードと，自装置の電力消費量を前記電力供給モード時と比較して低減する省電力モードとを有し，前記電力供給モードから前記省電力モードへの移行条件を満たすことを条件に，前記電力供給モードから前記省電力モードに移行させる移行部と，
前記印刷部の印刷特性を調整する補正値を取得する補正処理を実行する補正部と，
前記移行条件を満たした際，前記補正部が前記補正処理を行っており，かつ当該補正処理の完了後に実行される印刷ジョブがある場合，当該補正処理の完了および当該印刷ジョブを印刷した後に，前記移行部にて前記電力供給モードから前記省電力モードに移行させる制御部と，
を備えることを特徴とする印刷装置。
【請求項２】
請求項１に記載する印刷装置において，
前記制御部は，前記移行条件を満たした際，前記補正部が前記補正処理を行っており，かつ当該補正処理の完了後に実行される印刷ジョブがない場合，当該補正処理を中止させた後，前記移行部にて前記電力供給モードから前記省電力モードに移行させることを特徴とする印刷装置。
【請求項３】
請求項１または請求項２に記載する印刷装置において，
前記制御部は，前記移行条件を満たした際，前記補正部が前記補正処理を行っており，かつ前記補正処理の完了後に実行される印刷ジョブがある場合，当該印刷ジョブがカラーかモノクロかを判断し，カラーであれば，当該補正処理の完了および当該印刷ジョブを印刷した後に，前記移行部にて前記電力供給モードから前記省電力モードに移行させ，モノクロであれば，当該補正処理を中止させた後，前記移行部にて前記電力供給モードから前記省電力モードに移行させることを特徴とする印刷装置。
【請求項４】
請求項１または請求項２に記載する印刷装置において，
前記制御部は，前記移行条件を満たした際，前記補正部が前記補正処理を行っており，かつ前記補正処理の完了後に実行される印刷ジョブが複数ある場合に，前記複数の印刷ジョブのうち，カラーの印刷ジョブがあれば，当該補正処理の完了および少なくとも当該カラーの印刷ジョブを印刷した後に，前記移行部にて前記電力供給モードから前記省電力モードに移行させ，カラーの印刷ジョブがなければ，当該補正処理を中止させた後，前記移行部にて前記電力供給モードから前記省電力モードに移行させることを特徴とする印刷装置。
【請求項５】
請求項１から請求項４のいずれか１つに記載する印刷装置において，
前記制御部は，前記移行条件を満たした際，前記補正部が前記補正処理を行っており，かつ前記補正処理の完了後に実行される印刷ジョブがある場合に，消耗品の残使用量が所定量未満か否かを判断し，消耗品の残使用量が所定量未満であれば，当該補正処理の完了および当該印刷ジョブを印刷した後に，前記移行部にて前記電力供給モードから前記省電力モードに移行させ，消耗品の残使用量が所定量以上であれば，当該補正処理を中止させた後，前記移行部にて前記電力供給モードから前記省電力モードに移行させることを特徴とする印刷装置。
【請求項６】
請求項１から請求項５のいずれか１つに記載する印刷装置において，
前記補正処理は，各々異なる補正値を取得する少なくとも２つのサブ補正処理を実行する処理であり，
前記制御部は，前記移行条件を満たした際，前記補正部が前記サブ補正処理を実行しており，かつ前記複数のサブ補正処理のうちの最後のサブ補正処理の完了後に実行される印刷ジョブがある場合に，前記複数のサブ補正処理のうち未実施のサブ補正処理の数が実行済みのサブ補正処理と実行中のサブ補正処理との加算数より少ないか否かを判断し，前記未実施のサブ補正処理の数が前記加算数より少ない場合には，前記最後のサブ補正処理の完了および当該印刷ジョブを印刷した後に，前記移行部にて前記電力供給モードから前記省電力モードに移行させ，前記未実施のサブ補正処理の数が前記加算数以上の場合には，前記補正処理を中止させた後に，前記移行部にて前記電力供給モードから前記省電力モードに移行させることを特徴とする印刷装置。
【請求項７】
請求項１から請求項５のいずれか１つに記載する印刷装置において，
前記補正処理は，各々異なる補正値を取得する少なくとも２つのサブ補正処理を実行する処理であり，
前記制御部は，前記移行条件を満たした際，前記補正部が前記サブ補正処理を実行しており，かつ前記複数のサブ補正処理のうちの最後のサブ補正処理の完了後に実行される印刷ジョブがある場合に，実行中のサブ補正処理が前記最後のサブ補正処理を実行中か否かを判断し，当該最後のサブ補正処理であれば，当該最後のサブ補正処理の完了および当該印刷ジョブを印刷した後に，前記移行部にて前記電力供給モードから前記省電力モードに移行させ，当該最後のサブ補正処理でなければ，前記補正処理を中止させた後に，前記移行部にて前記電力供給モードから前記省電力モードに移行させることを特徴とする印刷装置。
【請求項８】
請求項１から請求項７のいずれか１つに記載する印刷装置において，
前記制御部は，前記移行条件を満たした際，前記補正部が前記補正処理を行っている場合，前記省電力モードを経ることで前記補正処理の実行条件が変化するか否かを判断し，前記補正処理の実行条件が変化するのであれば，前記補正処理の完了および前記補正処理の完了後に実行される印刷ジョブを印刷した後に，前記移行部にて前記電力供給モードから前記省電力モードに移行させ，前記補正処理の実行条件が変化しないのであれば，前記補正処理の完了後に，前記移行部にて前記電力供給モードから前記省電力モードに移行させることを特徴とする印刷装置。
【請求項９】
請求項１から請求項８のいずれか１つに記載する印刷装置において，
前記制御部は，前記移行条件を満たした際，前記補正部が前記補正処理を行っており，かつ前記補正処理の完了後に実行される印刷ジョブがある場合，当該印刷ジョブを印刷するか否かをユーザに選択させ，印刷することが選択された場合には，当該補正処理の完了および当該印刷ジョブを印刷した後に，前記移行部にて前記電力供給モードから前記省電力モードに移行させ，印刷しないことが選択された場合には，当該補正処理を中止させた後，前記移行部にて前記電力供給モードから前記省電力モードに移行させることを特徴とする印刷装置。
【発明の詳細な説明】
【技術分野】
【０００１】
本発明は，消費電力を抑える省電力モードを有する印刷装置に関する。さらに詳細には，電力供給モードから省電力モードに移行する移行条件を満たした際の，制御に関するものである。
【背景技術】
【０００２】
従来から，印刷装置では，省電力化を実現するため，電力供給を制限しない電力供給モードから，一部の構成要素への電力供給を制限して消費電力を抑える省電力モードに移行するものがある。
【０００３】
省電力モードについて開示されている文献としては，例えば特許文献１がある。この特許文献１には，待機状態時の消費電力を抑える低消費電力モード（省電力モードに相当）を有する印刷装置であって，装置が動作中にユーザが電力供給モードから低消費電力モードに移行する移行指示を入力した場合に，低消費電力モードへの移行ができない旨のメッセージを表示する技術が開示されている。
【先行技術文献】
【特許文献】
【０００４】
【特許文献１】特開２００１−２５５９６８号公報
【発明の概要】
【発明が解決しようとする課題】
【０００５】
しかしながら，前記した従来の印刷装置には，次のような問題があった。すなわち，印刷装置は，印刷特性を調整する補正値を取得する補正処理を必要に応じて実行する。この補正処理を実行する実行条件には複数の種類が有り，実行条件によっては，省電力モードを経てしまうと補正値の信頼性が著しく低下してしまう場合がある。そのような場合，電力供給モードに復帰した際に，補正処理をやり直すことになる。そのため，補正値を直ぐに利用できる印刷ジョブがない場合に補正処理を行ったとしても，その補正処理が無駄になってしまう可能性がある。
【０００６】
本発明は，前記した従来の印刷装置が有する問題点を解決するためになされたものである。すなわちその課題とするところは，省電力モードを有する印刷装置であって，無駄な補正処理の実行を低減する技術を提供することにある。
【課題を解決するための手段】
【０００７】
この課題の解決を目的としてなされた印刷装置は，シートに画像を印刷する印刷部と，自装置の各構成要素に電力を供給する電力供給モードと，自装置の電力消費量を前記電力供給モード時と比較して低減する省電力モードとを有し，前記電力供給モードから前記省電力モードへの移行条件を満たすことを条件に，前記電力供給モードから前記省電力モードに移行させる移行部と，前記印刷部の印刷特性を調整する補正値を取得する補正処理を実行する補正部と，前記移行条件を満たした際，前記補正部が前記補正処理を行っており，かつ当該補正処理の完了後に実行される印刷ジョブがある場合，当該補正処理の完了および当該印刷ジョブを印刷した後に，前記移行部にて前記電力供給モードから前記省電力モードに移行させる制御部とを備えることを特徴としている。
【０００８】
本明細書で開示される印刷装置は，電力供給状態が異なる電力供給モードと省電力モードとを有し，電力供給モードから省電力モードへの移行条件を満たした際，補正処理を行っており，かつ当該補正処理の完了後に実行される印刷ジョブがある場合，当該補正処理の完了および当該印刷ジョブを印刷した後に，省電力モードに移行させる。移行条件としては，例えば，移行指示のユーザ入力，最終操作からの経過時間ないし最終印刷からの経過時間が閾値以上等が該当する。補正処理としては，例えば，位置ずれ補正，ガンマ補正が該当する。
【０００９】
すなわち，本明細書で開示される印刷装置は，電力供給モードから省電力モードへの移行条件を満たした際，補正処理を行っており，かつ当該補正処理の完了後に実行される印刷ジョブがある場合には，省電力モードに移行する前に，補正処理およびその後に実行される印刷ジョブの印刷処理を完了させる。これにより，移行条件を満たした際に実行中であった補正処理の結果を，無駄なく印刷処理に利用することができる。
【００１０】
また，前記制御部は，前記移行条件を満たした際，前記補正部が前記補正処理を行っており，かつ当該補正処理の完了後に実行される印刷ジョブがない場合，当該補正処理を中止させた後，前記移行部にて前記電力供給モードから前記省電力モードに移行させるとよい。印刷ジョブがない場合には，補正処理が無駄になる可能性がある。そのため，補正処理の無駄を回避するには，印刷予定がない状態での補正処理は直ちに中止した方が好ましい。
【００１１】
また，前記制御部は，前記移行条件を満たした際，前記補正部が前記補正処理を行っており，かつ前記補正処理の完了後に実行される印刷ジョブがある場合，当該印刷ジョブがカラーかモノクロかを判断し，カラーであれば，当該補正処理の完了および当該印刷ジョブを印刷した後に，前記移行部にて前記電力供給モードから前記省電力モードに移行させ，モノクロであれば，当該補正処理を中止させた後，前記移行部にて前記電力供給モードから前記省電力モードに移行させるとよい。モノクロ印刷は，補正処理の恩恵が小さいため，省電力モードへの早期移行を図る上で，補正処理を中止して省電力モードへ移行する方が好ましい。一方，カラー印刷は，補正処理の恩恵が大きいため，補正処理を完了させてその補正結果を利用して印刷する方が好ましい。
【００１２】
また，前記制御部は，前記移行条件を満たした際，前記補正部が前記補正処理を行っており，かつ前記補正処理の完了後に実行される印刷ジョブが複数ある場合に，前記複数の印刷ジョブのうち，カラーの印刷ジョブがあれば，当該補正処理の完了および少なくとも当該カラーの印刷ジョブを印刷した後に，前記移行部にて前記電力供給モードから前記省電力モードに移行させ，カラーの印刷ジョブがなければ，当該補正処理を中止させた後，前記移行部にて前記電力供給モードから前記省電力モードに移行させるとよい。カラー印刷は，補正処理の恩恵が大きいため，補正処理を完了させてその補正結果を利用して少なくともカラーの印刷ジョブを印刷することで，補正処理の無駄を省くことができる。一方，カラー印刷の機会がなければ，補正処理を中止して省電力モードへ移行する方が好ましい。なお，カラーの印刷ジョブとモノクロの印刷ジョブとが混在する場合，カラーとモノクロとの両方とも印刷を行ってもよいが，カラーの印刷ジョブのみを印刷する方が，補正処理の無駄を省くとともに，省電力モードへの早期移行に資する。
【００１３】
また，前記制御部は，前記移行条件を満たした際，前記補正部が前記補正処理を行っており，かつ前記補正処理の完了後に実行される印刷ジョブがある場合に，消耗品の残使用量が所定量未満か否かを判断し，消耗品の残使用量が所定量未満であれば，当該補正処理の完了および当該印刷ジョブを印刷した後に，前記移行部にて前記電力供給モードから前記省電力モードに移行させ，消耗品の残使用量が所定量以上であれば，当該補正処理を中止させた後，前記移行部にて前記電力供給モードから前記省電力モードに移行させるとよい。消耗品としては，例えば着色剤，現像ローラ，感光体，ベルトが該当する。消耗品の残使用量としては，例えば着色剤であれば残着色剤量，現像ローラ等の回転体であれば残回転数が該当する。消耗品の残使用量が多い場合には，補正処理に伴う消耗品の使用によって直ちに印刷処理ができなくなる可能性は低い。そのため，補正処理の無駄が多少許容される。このことから，補正処理を中止して省電力モードへ移行する方が好ましい。一方，消耗品の残使用量が少ない場合には，補正処理の無駄が許容し難い。そのため，補正処理を完了させてその補正結果を利用して印刷することで，補正処理の無駄を省く方が好ましい。なお，補正処理の中止後，印刷ジョブを印刷してもしなくてもよいが，印刷しない方が省電力モードへの早期移行に資する。
【００１４】
また，前記補正処理は，各々異なる補正値を取得する少なくとも２つのサブ補正処理を実行する処理であり，前記制御部は，前記移行条件を満たした際，前記補正部が前記サブ補正処理を実行しており，かつ前記複数のサブ補正処理のうちの最後のサブ補正処理の完了後に実行される印刷ジョブがある場合に，前記複数のサブ補正処理のうち未実施のサブ補正処理の数が実行済みのサブ補正処理と実行中のサブ補正処理との加算数より少ないか否かを判断し，前記未実施のサブ補正処理の数が前記加算数より少ない場合には，前記最後のサブ補正処理の完了および当該印刷ジョブを印刷した後に，前記移行部にて前記電力供給モードから前記省電力モードに移行させ，前記未実施のサブ補正処理の数が前記加算数以上の場合には，前記補正処理を中止させた後に，前記移行部にて前記電力供給モードから前記省電力モードに移行させるとよい。複数のサブ補正処理で構成される補正処理において，未実施のサブ補正処理の数が加算数より少ない場合には，補正処理を中止した際のこれまでのサブ補正処理の無駄が多くなる。そのため，最後のサブ補正処理まで完了させてその補正結果を利用して印刷することで，補正処理の無駄を省く方が好ましい。一方，未実施のサブ補正処理の数が前記加算数以上であれば，補正処理を中止したとしてもこれまでのサブ補正処理の無駄が少ない。また，サブ補正処理を全て完了させるとなると，省電力モードへの移行が遅延する。そのため，補正処理を中止して省電力モードへの早期移行を図る方が好ましい。
【００１５】
また，前記補正処理は，各々異なる補正値を取得する少なくとも２つのサブ補正処理を実行する処理であり，前記制御部は，前記移行条件を満たした際，前記補正部が前記サブ補正処理を実行しており，かつ前記複数のサブ補正処理のうちの最後のサブ補正処理の完了後に実行される印刷ジョブがある場合に，実行中のサブ補正処理が前記最後のサブ補正処理を実行中か否かを判断し，当該最後のサブ補正処理であれば，当該最後のサブ補正処理の完了および当該印刷ジョブを印刷した後に，前記移行部にて前記電力供給モードから前記省電力モードに移行させ，当該最後のサブ補正処理でなければ，前記補正処理を中止させた後に，前記移行部にて前記電力供給モードから前記省電力モードに移行させるとよい。最後のサブ補正処理の場合にのみ，補正処理を完了させることで，補正処理の完了待ちが最小限になり，省電力モードへの移行遅延を抑えることができる。
【００１６】
また，前記制御部は，前記移行条件を満たした際，前記補正部が前記補正処理を行っている場合，前記省電力モードを経ることで前記補正処理の実行条件が変化するか否かを判断し，前記補正処理の実行条件が変化するのであれば，前記補正処理の完了および前記補正処理の完了後に実行される印刷ジョブを印刷した後に，前記移行部にて前記電力供給モードから前記省電力モードに移行させ，前記補正処理の実行条件が変化しないのであれば，前記補正処理の完了後に，前記移行部にて前記電力供給モードから前記省電力モードに移行させるとよい。補正処理の実行条件が変化しないのであれば，補正処理の効果が維持できる。そのため，電力供給モードに復帰した後も補正値を利用することができ，補正処理が無駄にならない。よって，印刷を行うことなく速やかに省電力モードに移行する方が好ましい。
【００１７】
また，前記制御部は，前記移行条件を満たした際，前記補正部が前記補正処理を行っており，かつ前記補正処理の完了後に実行される印刷ジョブがある場合，当該印刷ジョブを印刷するか否かをユーザに選択させ，印刷することが選択された場合には，当該補正処理の完了および当該印刷ジョブを印刷した後に，前記移行部にて前記電力供給モードから前記省電力モードに移行させ，印刷しないことが選択された場合には，当該補正処理を中止させた後，前記移行部にて前記電力供給モードから前記省電力モードに移行させるとよい。印刷するか否かの判断をユーザが選択できる方が，ユーザにとって利便性が高い。
【発明の効果】
【００１８】
本発明によれば，省電力モードを有する印刷装置であって，無駄な補正処理の実行を低減する技術が実現される。
【図面の簡単な説明】
【００１９】
【図１】実施の形態にかかるプリンタの外観を示す斜視図である。
【図２】図１に示したプリンタの内部構成を示す断面図である。
【図３】マークセンサの配置を示す図である。
【図４】実施の形態にかかるプリンタの電気的構成を示すブロック図である。
【図５】第１の形態にかかる省電力モード移行処理の手順を示すフローチャートである。
【図６】印刷実行ジョブを選択する選択画面を示す図である。
【図７】第２の形態にかかる省電力モード移行処理の手順を示すフローチャートである。
【図８】カラーの印刷ジョブを抽出して印刷を継続する概念を示す図である。
【図９】複数のサブ補正処理からなる補正処理において電源スイッチが押下されたタイミングと省電力モードへ移行するタイミングとを示す図である。
【発明を実施するための形態】
【００２０】
以下，本発明にかかる印刷装置を具体化した実施の形態について，添付図面を参照しつつ詳細に説明する。本形態は，電子写真方式のカラープリンタに本発明を適用したものである。
【００２１】
［プリンタの全体構成］
本形態のプリンタ１００は，図１に示すように，印刷を行う画像形成部１０（印刷部の一例）と，印刷前のシートを収容する給紙トレイ９１と，印刷後のシートを収容する排紙トレイ９２とを備えている。また，画像形成部１０の上面には，液晶ディスプレイからなる表示部４１と，ＯＫボタン，キャンセルボタン，テンキー，ユーザ認証ボタン等から構成されるボタン群４２とを備えた操作パネル４０が設けられている。この操作パネル４０により，動作状況の表示やユーザによる入力操作が可能になる。
【００２２】
また，画像形成部１０の上面には，操作パネル４０のボタン群４２とは別に，電力の供給状態を切り替える電源スイッチ２５が設けられている。プリンタ１００は，電力の供給状態を表すモードとして，全ての構成要素に電力供給を行う電力供給モードと，一部の構成要素への電力供給を制限して消費電力を抑える省電力モードとを有している。プリンタ１００は，ユーザによって電源スイッチ２５が押下された際，電力供給モードであれば省電力モードに切り替え，省電力モードであれば電力供給モードに切り替える。各モードの詳細については後述する。
【００２３】
［プリンタの画像形成部の構成］
続いて，プリンタ１００の画像形成部１０の構成について，図２を参照しつつ説明する。画像形成部１０は，電子写真方式によってトナー像を形成し，そのトナー像を用紙に転写するプロセス部５０と，用紙上の未定着のトナーを定着させる定着装置８とを備えている。また，画像形成部１０の下方には，画像転写前の用紙を載置する給紙トレイ９１が
あり，画像形成部１０の上方には，画像転写後の用紙を載置する排紙トレイ９２がある。
【００２４】
また，画像形成部１０は，各プロセス部５０Ｙ，５０Ｍ，５０Ｃ，５０Ｋに光を照射する露光装置５３と，各プロセス部５０Ｙ，５０Ｍ，５０Ｃ，５０Ｋの転写位置に用紙を搬送する搬送ベルト７と，搬送ベルト７上に形成されたパターン画像を検出するマークセンサ６１とを備えている。
【００２５】
また，プリンタ１００内には，底部に位置する給紙トレイ９１に収容された用紙が，給紙ローラ７１，レジストローラ７２，プロセス部５０，定着装置８を通り，排紙ローラ７６を介して上部の排紙トレイ９２への導かれるように，略Ｓ字形状の搬送路１１（図２中の一点鎖線）が設けられている。
【００２６】
プロセス部５０は，カラー画像の形成が可能であり，イエロー（Ｙ），マゼンタ（Ｍ），シアン（Ｃ），ブラック（Ｋ）の各色に対応するプロセス部を並列に配置している。具体的には，Ｙ色の画像を形成するプロセス部５０Ｙと，Ｍ色の画像を形成するプロセス部５０Ｍと，Ｃ色の画像を形成するプロセス部５０Ｃと，Ｋ色の画像を形成するプロセス部５０Ｋとを備えている。そして，各プロセス部５０Ｙ，５０Ｍ，５０Ｃ，５０Ｋは，用紙の搬送方向において互いに一定の距離をおいた状態で配置されている。
【００２７】
プロセス部５０では，感光体の表面が帯電装置によって一様に帯電される。その後，露光装置５３からの光により露光され，用紙に形成すべき画像の静電潜像が形成される。次いで，現像装置を介して，トナーが感光体に供給される。これにより，感光体上の静電潜像は，トナー像として可視像化される。
【００２８】
搬送ベルト７は，搬送ローラ７３，７４によって張架された無端状のベルト部材であり，ポリカーボネート等の樹脂材からなる。搬送ベルト７は，搬送ローラ７４が回転駆動されることにより紙面反時計回りに循環移動する。これにより，その上面に載置された用紙を，レジストローラ７２側から定着装置８側に搬送する。
【００２９】
画像形成部１０は，給紙トレイ９１に載置されている用紙を１枚ずつ取り出し，その用紙を搬送ベルト７上に搬送する。そして，プロセス部５０にて形成されたトナー像をその用紙に転写する。このとき，カラー印刷では，各プロセス部５０Ｙ，５０Ｍ，５０Ｃ，５０Ｋにてトナー像が形成され，用紙上で各トナー像が重ね合わせられる。一方，モノクロ印刷では，プロセス部５０Ｋのみでトナー像が形成され，用紙に転写される。その後は，トナー像が転写された用紙を定着装置８に搬送し，トナー像をその用紙に熱定着させる。そして，定着後の用紙を排紙トレイ９２に排出する。
【００３０】
また，マークセンサ６１は，用紙の搬送方向におけるプロセス部５０Ｙ，５０Ｍ，５０Ｃ，５０Ｋよりも下流であって定着装置８よりも上流に位置し，搬送ベルト７上に形成された画調整用のパターンを検知する。
【００３１】
具体的に，マークセンサ６１は，図３に示すように，搬送ベルト７の幅方向の右側に配置されたセンサ６１Ｒと，左側に配置されたセンサ６１Ｌとの，２つのセンサによって構成される。各センサ６１Ｒ，６１Ｌは，発光素子６２（例えば，ＬＥＤ）と，受光素子６３（例えば，フォトトランジスタ）とが一対となる反射型の光学センサである。マークセンサ６１は，発光素子６２にて搬送ベルト７の表面（図３中の点線枠Ｅ）に対して斜め方向から光を照射し，その光を受光素子６３が受光する構成になっている。そして，画調整用のマーク６６（図３中のマーク６６は静的位置ずれ補正用のマークの一例）が通過する際の受光量と搬送ベルト７から直接受ける受光量との違いによって，画調整用のマークを検知できる。
【００３２】
［プリンタの補正処理］
続いて，プリンタ１００が実行する各種の補正処理について説明する。本形態のプリンタ１００は，動的位置ずれ補正，静的位置ずれ補正，現像バイアス補正，ガンマ補正，の各補正処理を，各補正処理の実行条件に従って実行する。なお，これらの補正処理は一例であってこれらに限るものではない。
【００３３】
動的位置ずれ補正は，感光体や搬送ローラ７３，７４の偏心やこれらを回転駆動するギアのピッチの狂い等に起因する，特定の周期を有する動的な画像位置のずれを調整する補正値を取得するための処理である。静的位置ずれ補正は，感光体や露光装置５３の取り付け位置のずれ等に起因する，特定の周期を有しない静的な画像位置のずれを調整する補正値を取得するための処理である。現像バイアス補正は，プリンタ１００が規定する理想濃度と，実際に形成したマークの濃度とのずれを調整する補正値を取得するための処理である。ガンマ補正は，外部のコンピュータによる指示濃度（指示階調）とプリンタ１００自身の出力濃度とのずれを補正するための処理である。各補正処理では，専用のマークを形成し，マークセンサ６１にてマークを読み取ることで，それぞれ補正値を取得する。
【００３４】
補正処理の実行条件は，補正処理ごとに複数ある。そして，実行条件ごとに，補正処理の実行タイミングも異なる。例えば，カバーオープン，電源投入，あるいはユーザ指示を実行条件とする場合，実行タイミングはその実行条件を満たした即時となる。また，印刷枚数，連続起動時間，あるいは環境変化を実行条件とする場合，実行タイミングはその実行条件を満たした後に実行されるジョブの印刷前となる。
【００３５】
なお，各マークの濃度にずれがあると，同じ画像形成位置に形成されたマークであっても，マークセンサ６１での読み取り受光量にばらつきが生じる。このため，マークの検出位置にずれが生じ，画像形成位置を精度よく検出することが難しくなる。従って，動的位置ずれ補正ないし静的位置ずれ補正を実行する際には，現像バイアス補正もセットで実行し，さらに現像バイアス補正を動的位置ずれ補正ないし静的位置ずれ補正よりも先に実行する。
【００３６】
また，ガンマ補正においても，プリンタ１００自身に濃度ずれがあると，各色の濃度の特性変化を精度よく検出することが難しくなる。従って，ガンマ補正を実行する際には，現像バイアス補正もセットで実行し，さらに現像バイアス補正をガンマ補正よりも先に実行する。
【００３７】
また，画像形成位置に動的位置ずれがあると，静的位置ずれを精度よく検出することが難しくなる。そのため，静的位置ずれ補正を実行する際には，動的位置ずれ補正もセットで実行し，さらに動的位置ずれ補正を静的位置ずれ補正よりも先に実行する。
【００３８】
上記の補正の組み合わせを踏まえ，各補正処理が同時に実行条件を満たし，ある実行タイミングで複数の補正処理を実行する必要がある場合，当該実行タイミングにおける一連の補正では，次のような優先順序によって実行される。
１．現像バイアス補正
２．ガンマ補正
３．動的補正処理
４．静的補正処理
【００３９】
［プリンタの電気的構成］
続いて，プリンタ１００の電気的構成について説明する。本形態のプリンタ１００は，図４に示すように，画像形成部１０と，操作パネル４０と，各種構成要素への電力の供給を制御する給電制御部２０（移行部の一例）と，画像形成部１０を制御する制御部３０と，外部デバイスと接続するための通信インターフェースとなるＵＳＢインターフェース３５およびネットワークインターフェース３６とを備えている。なお，電源スイッチ２５は，給電制御部２０に含まれる。
【００４０】
また，制御部３０は，ＣＰＵ３１と，ＲＯＭ３２と，ＲＡＭ３３と，ＮＶＲＡＭ（Non Volatile RAM）３４とを有している。ＲＯＭ３２には，プリンタ１００を制御するための制御プログラムであるファームウェアや各種設定，初期値等が記憶されている。ＲＡＭ３３は，各種制御プログラムが読み出される作業領域として，あるいは画像データを一時的に記憶する記憶領域として利用される。
【００４１】
ＣＰＵ３１（補正部，制御部の一例）は，ＲＯＭ３２から読み出した制御プログラムや各種センサから送られる信号に従って，その処理結果をＲＡＭ３３またはＮＶＲＡＭ３４に記憶させながら，プリンタ１００の各構成要素を制御する。
【００４２】
ＵＳＢインターフェース３５は，他の装置との通信を可能にするインターフェースである。プリンタ１００は，例えば，ＵＳＢインターフェース３５にＵＳＢメモリが接続されている場合には，当該ＵＳＢメモリに記憶されている画像データを読み出して出力することができる。ＵＳＢインターフェース３５の接続先は，ＵＳＢメモリに限らず，例えばパーソナルコンピュータ（ＰＣ）であってもよい。
【００４３】
ネットワークインターフェース３６も，ＵＳＢインターフェース３５と同様に，他の装置との通信を可能にするインターフェースである。プリンタ１００は，例えば，ＵＳＢインターフェース３５と同様に，ネットワークインターフェース３６を介して接続する外部デバイスから画像データを受け付けて出力することができる。
【００４４】
なお，プリンタ１００と外部デバイスとの接続は，ＵＳＢインターフェース３５やネットワークインターフェース３６を介する形態に限るものではない。例えば，プリンタ１００が無線通信インターフェースを有している場合には，無線通信によって外部装置とデータ通信を行ってもよい。また，ＦＡＸインターフェースを有している場合には，電話回線を介してデータ通信を行うことが可能である。
【００４５】
画像形成部１０は，画像をシートに印刷する構成要素を含むものであり，前述したプロセス部５０，定着装置８，シートを搬送する各種ローラが含まれる。また，各種ローラを駆動する駆動モータ７９も含まれる。
【００４６】
［給電制御］
続いて，プリンタ１００の給電制御について説明する。プリンタ１００は，少なくとも画像形成部１０への電力供給を遮断し，電力消費量を低減する省電力モードと，全ての電源系統に電力を供給する電力供給モードとを有している。電力供給モードでは，画像形成部１０，制御部３０，操作パネル４０，外部インターフェース，電源スイッチ２５の全てに電力が供給され，印刷動作が可能になる。プリンタ１００の起動直後は，電力供給モードで動作する。
【００４７】
電力供給モードで動作中，省電力モードに移行するための条件を満たすと，省電力モードに移行する。本形態の省電力モードでは，画像形成部１０，制御部３０，操作パネル４０および外部インターフェースへの給電を遮断する。これにより，印刷動作が不可能になり，電力供給モードよりも消費電力が抑えられる。各種構成要素への電力供給の切り換えは，給電制御部２０が行う。一方，省電力モードであっても，給電制御部２０への給電は継続される。給電制御部２０は，電源スイッチ２５のオンオフを検知するセンサを有しており，省電力モードであっても電源スイッチ２５のユーザ操作を受け付ける。省電力モードで動作中，電源スイッチ２５の押下を受け付けると，制御部３０を含む全ての構成要素への電力供給を再開し，電力供給モードに移行する。
【００４８】
本形態では，プリンタ１００が電力供給モードから省電力モードに移行する移行条件としては，電源スイッチ２５の押下，ＰＣ等の外部装置からの移行命令の受信，移行時刻として設定された時間に発行されるタイマイベントの受信の３つがあり，そのうち１つでも満たされれば電力供給モードから省電力モードに移行する。一方，省電力モードでは，外部インターフェースや操作パネル４０に電力が供給されないため，プリンタ１００が省電力モードから電力供給モードに移行する移行条件としては，電源スイッチ２５の押下のみとなる。
【００４９】
［省電力モード移行処理］
［第１の形態］
続いて，省電力モードへの切り替え動作を実現する省電力モード移行処理の手順について，図５のフローチャートを参照しつつ説明する。なお，省電力モード移行処理は，電力供給モードで動作中，省電力モードへの移行条件を満たしたことを契機に，ＣＰＵ３１によって実行される。
【００５０】
省電力モード移行処理では，先ず，画像形成部１０が補正処理を実行中か否かを判断する（Ｓ１０１）。補正処理を実行していなければ（Ｓ１０１：ＮＯ），Ｓ１０９に移行して画像形成部１０が印刷処理中であるか否かを判断する。Ｓ１０９以降の処理については後述する。
【００５１】
補正処理を実行している場合には（Ｓ１０１：ＹＥＳ），印刷待ちとなって待機している印刷ジョブがあるか否かを判断する（Ｓ１０２）。印刷ジョブがない場合には（Ｓ１０２：ＮＯ），実行中の補正処理が無駄になる可能性があるため，実行中の補正処理を中止する（Ｓ１２１）。Ｓ１２１の後は，印刷を行わず，省電力モードへの移行指示を出力し（Ｓ１１０），省電力モード移行処理を終了する。給電制御部２０は，省電力モードへの移行指示を受け付けると，画像形成部１０，制御部３０，操作パネル４０および外部インターフェースへの給電を遮断する。
【００５２】
なお，Ｓ１２１での補正処理を中止する態様は，実行中の補正処理は完了させ，後続する補正処理を中止する態様であってもよいし，実行中の補正処理を中止する態様であってもよい。前者の場合は，例えば複数の補正処理が同時に実行条件を満たし，ある実行タイミングで複数の補正処理を実行する必要がある場合に，前述の優先順位に従って，一連の補正処理を実行することなる。このうち，実行中の補正処理までは完了させ，他の補正処理については中止することになる。補正処理は，マークを形成し，そのマークを回収する必要があることから，未回収のまま補正処理を中止すると，後の印刷に悪影響を与える可能性がある。そのため，画質への影響を回避する上では，実行中の補正処理は完了させる方が望ましい。一方，後者の場合は，実行中の補正処理の完了を待たないため，より速やかに省電力モードに移行することができる。
【００５３】
印刷ジョブがある場合には（Ｓ１０２：ＹＥＳ），補正処理を中止することなく，実行中の補正処理が，プリンタ１００が省電力モードに移行した際も当該補正処理によって得られる補正値の信頼性が維持される効果継続型の補正処理か否かを判断する（Ｓ１０６）。
【００５４】
効果継続型か否かは，補正処理の実行条件によって判断できる。例えば，印刷枚数や現像ローラの回転数等の印刷量に基づく値が閾値以上であることを補正処理の実行条件とする場合，省電力モードを経たとしてもその実行条件は変化しない。そのため，補正値の信頼性は低下せず，電力供給モードに復帰した後もその補正値を継続して使用しても問題は生じ難い。従って，効果継続型であると判断できる。
【００５５】
一方，環境変数（温度や湿度）に基づく値が閾値以上であることを補正処理の実行条件とする場合，省電力モードを経ると，機内環境が省電力モード移行前と電力供給モード復帰後とで大きく変化することも想定される。そのため，省電力モードに移行する直前の環境で最適な補正値を取得したとしても，電力供給モードに復帰した後の環境で最適な補正値にならない可能性があり，補正値の信頼性が低下する。従って，効果非継続型であると判断できる。効果非継続型の補正処理は，電力供給モードへの復帰時，あるいは復帰後の最初の印刷前に，必要に応じてあらためて実行されることになる。
【００５６】
効果継続型の補正処理は，上述したようにその補正値が省電力モードを経た後でも利用できる。そのため，補正処理を完了させた方が望ましい。補正処理を完了させることで，電力供給モードへの復帰後に当該補正処理を実行する必要がなくなり，印刷の早期開始が期待できる。そこで，実行中の補正処理が効果継続型の場合には（Ｓ１０６：ＹＥＳ），補正処理の完了を待ち（Ｓ１４１），補正処理が完了した後に（Ｓ１４１：ＹＥＳ），給電制御部２０に対して省電力モードへの移行指示を出力する（Ｓ１１０）。Ｓ１１０の後は，省電力モード移行処理を終了する。
【００５７】
一方，実行中の補正処理が効果非継続型である場合には（Ｓ１０６：ＮＯ），その補正値の効果が継続しないため，その補正処理が無駄になってしまう可能性がある。そこで，補正処理を中止することなく，補正処理の完了を待つ（Ｓ１０７）。補正処理が完了した後は（Ｓ１０７：ＹＥＳ），印刷を開始し（Ｓ１０８），印刷待ちとなって待機している印刷ジョブを順次に実行する。この印刷時には，直前に実行された補正処理の補正値が利用される。その結果として，直前に実行された補正処理が無駄にならない。
【００５８】
Ｓ１０８の後，あるいは省電力モードへの移行条件を満たした際に，補正処理を実行していなかった場合（Ｓ１０１：ＮＯ），画像形成部１０にて印刷処理中か否かを判断する（Ｓ１０９）。Ｓ１０９では，印刷ジョブの全ページの印刷が完了するまで印刷処理中と判断する。印刷処理中の場合には（Ｓ１０９：ＹＥＳ），印刷処理の完了を待つ。印刷処理中でなければ（Ｓ１０９：ＮＯ），省電力モードへの移行指示を出力し（Ｓ１１０），省電力モード移行処理を終了する。
【００５９】
なお，本形態の省電力モード移行処理では，実行中の補正処理が効果継続型の場合には（Ｓ１０６：ＹＥＳ），補正処理を完了させた後，速やかに省電力モードに移行しているが，Ｓ１０６の判断は無くてもよい。すなわち，補正処理の種類にかかわらず，印刷ジョブがなければ補正処理を中止し，印刷ジョブがあれば補正処理を完了させて印刷を開始してもよい。この場合，印刷ジョブがあった場合に（Ｓ１０２：ＹＥＳ），Ｓ１０７に移行すればよい。
【００６０】
また，本形態の省電力モード移行処理では，印刷ジョブがあった場合に（Ｓ１０２：ＹＥＳ），補正処理の無駄を回避するために，補正処理の完了後，Ｓ１０８にてその印刷ジョブを印刷しているが，印刷が必要か否かをユーザに問い合わせてもよい。
【００６１】
例えば，印刷ジョブがあった場合に（Ｓ１０２：ＹＥＳ），図６に示すような印刷実行ジョブ選択画面を表示部４１に表示する。印刷実行ジョブ選択画面では，省電力モードへの移行条件を満たした際にジョブキューに登録されている印刷ジョブを一覧表示するとともに，各印刷ジョブについて実行するか否かの選択を可能にする。そして，ユーザによる選択を受け付けた後，Ｓ１０７に移行して補正処理の完了を待ち，Ｓ１０８では選択された印刷ジョブを印刷する。選択されなかった印刷ジョブは印刷しない。これにより，よりユーザの事情に適した移行制御を実現できる。
【００６２】
また，実施の形態の省電力モード移行処理にて中止対象となった補正処理については，電力供給モードに復帰した後，実行条件を満たす場合には実行される。この補正処理の実行タイミングとしては，復帰直後であってもよいし，復帰後の最初の印刷を実行する前であってもよい。
【００６３】
［第２の形態］
続いて，省電力モード移行処理の他の形態について，図７のフローチャートを参照しつつ説明する。第２の形態では，補正処理後の印刷ジョブがあったとしても，所定の条件を満たした場合には，補正処理を中止し，速やかに省電力モードに移行する。この点，第１の形態とは異なる。
【００６４】
なお，第２の形態は，印刷ジョブがある場合（Ｓ１０２：ＹＥＳ）以降の処理が第１の形態と異なり，それ以外の処理は第１の形態と同じである。そのため，印刷ジョブがあった場合（Ｓ１０２：ＹＥＳ）以降の処理について説明し，それ以外の処理の説明は省略する。
【００６５】
第２の形態の省電力モード移行管理処理では，印刷ジョブがある場合（Ｓ１０２：ＹＥＳ），トナーの残量が閾値以上か否かを判断する（Ｓ１０３）。トナーの残量は，プロセス部５０の４色のトナーのうち，最も少ない色の残量としてもよいし，４色の合計残量としてもよい。また，トナーの残量は，トナーカートリッジ内に閾値以上のトナーがあるか否かを検知する光センサを配置して直接的に残量を検知してもよいし，現像ローラの回転数やドットカウンタから間接的に算出してもよい。
【００６６】
トナーの残量が閾値以上の場合（Ｓ１０３：ＹＥＳ），例えば４色とも新品に近いような場合，多少のトナーの無駄が許容される。すなわち，補正処理の無駄が許容される。そこで，省電力モードへの早期移行を優先し，実行中の補正処理を中止する（Ｓ１２１）。
【００６７】
トナーの残量が閾値より少ない場合（Ｓ１０３：ＮＯ），待機中の印刷ジョブが全てモノクロ印刷のジョブか否かを判断する（Ｓ１０４）。モノクロ印刷の場合，他色とのバランスが問題にならないことから，カラー印刷と比較して補正処理の恩恵が小さい。そのため，モノクロ印刷のみの場合には（Ｓ１０４：ＹＥＳ），Ｓ１２１に移行して補正処理を中止し，省電力モードへの移行を早める。
【００６８】
また，待機中の印刷ジョブが複数あり，カラー印刷のジョブとモノクロ印刷のジョブとが混在する場合，印刷対象のジョブを，当該複数の印刷ジョブすべてであってもよいし，モノクロ印刷のジョブをキャンセルし，カラー印刷のジョブのみであってもよい。前者の場合には，補正処理の無駄をより確実に回避することができ，後者の場合には，補正処理の無駄を回避しつつ省電力モードへの移行を早めることが期待できる。なお，後者の場合，例えば図８に示すように，補正処理Ａの実行中に電源スイッチ２５の押下を検知し，ジョブキューにモノクロの印刷ジョブ１，カラーの印刷ジョブ２，モノクロの印刷ジョブ３，カラーの印刷ジョブ４の順に登録されていた場合，印刷ジョブ１と印刷ジョブ３とがキャンセルされ，印刷ジョブ４の実行完了後に省電力モードに移行することになる。
【００６９】
待機中の印刷ジョブにカラー印刷のジョブが含まれる場合（Ｓ１０４：ＮＯ），補正処理の完了を待たない中止タイミングか否かを判断する（Ｓ１０５）。プリンタ１００は，複数の補正処理が同時に実行条件を満たし，ある実行タイミングで複数の補正処理を実行する必要がある場合に，前述の優先順位に従って，一連の補正処理を実行する。この一連の補正処理を実行している場合，最後の補正処理が完了するまでこの一連の補正処理が完了しない。一方で，全ての補正処理が完了するまで待つとなると，省電力モードへの移行が著しく遅延する可能性がある。そこで，補正処理の完了を待たない中止タイミングを規定する。中止タイミングの場合には（Ｓ１０５：ＹＥＳ），Ｓ１２１に移行して補正処理を中止し，省電力モードへの移行を早める。
【００７０】
例えば，この一連の補正処理として，図９に示すように補正処理Ａ，補正処理Ｂ，補正処理Ｃを実行するものとし，さらに印刷ジョブがジョブキューに登録されているものとする。これらの補正処理Ａ，補正処理Ｂ，補正処理Ｃが，サブ補正処理に該当する。この場合，最後の補正処理Ｃを実行するまで一連の補正処理としての補正値は得られない。そこで，最後の補正処理Ｃの実行中であれば，補正処理Ｃの完了後に補正値が得られるため，後続する印刷ジョブを実行できる。一方，補正処理Ａや補正処理Ｂの実行中であった場合，当該補正処理が完了することで一連の補正処理は中止できるが，最終的な補正値は得られない。この場合，残りの補正処理の完了を待つと省電力モードへの移行が遅延することから，補正処理Ａや補正処理Ｂが実行中のタイミングを中止タイミングとする。
【００７１】
この場合，補正処理Ａの実行中であるＡ１で電源スイッチ２５の押下を検知した場合は，補正処理Ａが完了あるいは中止した後，補正処理Ｂおよび補正処理Ｃおよび印刷を行うことなく，補正処理Ａの完了直後であるＡ２にて省電力モードに移行させる。補正処理Ｂの実行中であるＢ１で電源スイッチ２５の押下を検知した場合も，補正処理Ｂが完了あるいは中止した後，補正処理Ｃおよび印刷を行うことなく，補正処理Ｂの完了直後であるＢ２にて省電力モードに移行させる。一方，補正処理Ｃの実行中であるＣ１で電源スイッチ２５の押下を検知した場合は，補正処理Ｃを完了させることで一連の補正処理が全て完了する。そこで，補正処理Ｃの完了直後であるＣ０にて省電力モードに移行させるのではなく，印刷ジョブを完了させた後，印刷ジョブの完了直後であるＣ２にて省電力モードに移行させる。
【００７２】
すなわち，一連の補正処理のうち最後の補正処理以外の補正処理の実行期間を，中止タイミングとし，省電力モードへの移行条件を満たした際，一連の補正処理を実行しており，かつ一連の補正処理の完了後に実行される印刷ジョブがある場合に，中止タイミングか否かを判断し，中止タイミング以外のタイミングであれば，最後の補正処理の完了後に印刷ジョブを印刷し，その後に，省電力モードに移行させる。一方，中止タイミングであれば，一連の補正処理を途中で中止させた後に，印刷ジョブをキャンセルして省電力モードに移行させる。すなわち，最後の補正処理の場合にのみ，一連の補正処理を完了させることで，補正処理の完了待ちが最小限になり，省電力モードへの移行遅延を抑えることができる。
【００７３】
あるいは，一連の補正処理のうち未実施の補正処理の数が実行済みの補正処理と実行中の補正処理との加算数以上となるタイミングを，中止タイミングとしてもよい。すなわち，省電力モードへの移行条件を満たした際，一連の補正処理を実行しており，かつ一連の補正処理の完了後に実行される印刷ジョブがある場合に，一連の補正処理のうち未実施の補正処理の数が実行済みの補正処理と実行中の補正処理との加算数より少ない場合には，一連の補正処理の完了後に印刷ジョブを印刷し，その後に，省電力モードに移行させる。これにより，一連の補正処理の無駄を回避することができる。一方，未実施の補正処理の数が加算数より少なくない場合には，一連の補正処理を中止させた後に，印刷ジョブをキャンセルして省電力モードに移行させる。これにより，省電力モードに速やかに移行できる。
【００７４】
中止タイミング以外の場合には（Ｓ１０５：ＮＯ），補正処理の完了を待ち（Ｓ
１０７），印刷を開始する（Ｓ１０８）。これにより，Ｓ１０３，Ｓ１０４，Ｓ１０５のいずれか１つを満たす場合には，印刷ジョブがあったとしても，補正処理を中止し，印刷を行うことなく速やかに省電力モードへ移行できる。
【００７５】
なお，Ｓ１０３，Ｓ１０４，Ｓ１０５の判断は，必ずしも全て行う必要はない。すなわち，Ｓ１０３，Ｓ１０４，Ｓ１０５のうち，１つのみを判断してもよいし，２つを判断してもよい。また，判断順序は不問である。また，第１の形態におけるＳ１０６の効果継続型の補正処理であるか否かの判断を組み合わせてもよい。この場合，例えば，中止タイミング以外の場合（Ｓ１０５：ＮＯ），その後にＳ１０７の判断を行うとよい。
【００７６】
以上詳細に説明したように本形態のプリンタ１００は，電力供給モードから省電力モードへの移行条件を満たした際，補正処理を行っており，かつ当該補正処理の完了後に実行される印刷ジョブがある場合には，省電力モードに移行する前に，補正処理およびその後に実行される印刷ジョブの印刷処理まで完了させる。これにより，当該補正処理の結果を印刷処理に利用することができ，当該補正処理が無駄にならない。その結果として，無駄な補正処理の低減が期待できる。
【００７７】
なお，本実施の形態は単なる例示にすぎず，本発明を何ら限定するものではない。したがって本発明は当然に，その要旨を逸脱しない範囲内で種々の改良，変形が可能である。例えば，印刷装置は，プリンタに限らず，コピー機，ＦＡＸ装置，複合機等，印刷機能を備えるものであれば適用可能である。また，印刷方式も，電子写真方式に限らず，インクジェット方式であってもよい。また，カラープリンタに限らず，モノクロ専用プリンタであってもよい。
【００７８】
また，実施の形態では，電力の供給状態を表すモードとして，電力供給モードと省電力モードとの２つのモード間で切り替えを行っているが，３つ以上のモードがあってもよい。例えば，本形態の電力供給モード（全ての電源系統に電力が供給されるモード）をレディモードとし，レディモードから省電力モードに移行するまでの間に，画像形成部１０への電力供給は遮断するものの，制御部３０やインターフェースには電力供給を継続するスリープモードを設けてもよい。
【００７９】
また，実施の形態では，省電力モードへの移行条件を満たした際，補正処理中ではなく印刷処理中であった場合に，その印刷処理対象である印刷ジョブの全ページの印刷が完了するまで待っている，すなわち補正処理が完了した後に開始された印刷ジョブの完了を待つ処理と共通であるが，印刷ジョブの途中であっても，その印刷ジョブの完了を待たずに印刷ジョブをキャンセルしてもよい。すなわち，印刷ジョブの完了よりも，省電力モードへの移行を優先してもよい。
【００８０】
また，実施の形態では，Ｓ１０３にてトナーの残量が閾値以下か否かによってトナーの無駄が許容されるか否かを判断しているが，許容判断はこれに限るものではない。例えば，トナーセーブモードの設定は，トナーの寿命が近いと推測できる。そのため，印刷ジョブにトナーセーブモードが設定されている場合には，トナーの無駄が許容されず，トナーセーブモードが設定されていない場合に，トナーの無駄が許容されると判断してもよい。
【００８１】
また，実施の形態では，Ｓ１０３にてトナーの残量が閾値以下か否かによってトナーの無駄が許容されるか否かを判断しているが，消耗品はトナーに限るものではない。例えば，現像ローラ，感光体，あるいは搬送ベルト７の回転数が閾値以下か否かによって消耗品の無駄が許容されるか否かを判断してもよい。
【００８２】
また，実施の形態では，補正処理中に省電力モードへの移行条件を満たした際，当該補正処理の完了後に実行される印刷ジョブがある場合には，省電力モードに移行する前に，補正処理およびその後に実行される印刷ジョブの印刷処理まで完了させるが，省電力モードへの移行条件を満たしてから当該補正処理の完了までに受信された印刷ジョブがあれば，それらの印刷を完了させてから省電力モードへ移行してもよい。
【００８３】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００８４】
１０    画像形成部
２０    給電制御部
２５    電源スイッチ
４０    操作パネル
５０    プロセス部
１００  プリンタ
【図１】
2014030972.tif 000003
【図２】
2014030972.tif 000004
【図３】
2014030972.tif 000005
【図４】
2014030972.tif 000006
【図５】
2014030972.tif 000007
【図６】
2014030972.tif 000008
【図７】
2014030972.tif 000009
【図８】
2014030972.tif 000010
【図９】
2014030972.tif 000011